(57)【要約】【課題】周辺状況を撮影する際に、周囲の人達に不快感や不安感を与えることを抑制することができる周辺画像の提供方法、及び通信端末用プログラムを提供する。【解決手段】撮影モード設定部１１１が、インカメラ１４５及びアウトカメラ１４６による撮影モードを周辺撮影モードに設定する撮影モード設定ステップと、頭上位置検知部１１２が操作者Ｐｃの頭上に位置していることを検知する頭上位置検知ステップと、撮影制限部１１４が、周辺撮影モードにおいて、通信端末１００が操作者Ｐｃの頭上に位置していることが検知されているときは撮影を許可し、通信端末１００が操作者Ｐｃの頭上に位置していることが検知されていないときには撮影を禁止する撮影制限ステップと、撮影画像送信部１１５が、撮影画像を情報収集サーバ１０に送信する撮影画像送信ステップとを含む。【選択図】図２
2020010158.tif 000002
【特許請求の範囲】
【請求項１】
カメラと該カメラのファインダーとを有する通信端末により実行される周辺画像の提供方法であって、
前記カメラによる撮影モードを、周辺の撮影に対応した周辺撮影モードに設定する撮影モード設定ステップと、
前記通信端末が前記通信端末の操作者の頭上に位置していることを検知する頭上位置検知ステップと、
前記周辺撮影モードにおいて、前記頭上位置検知ステップにより前記通信端末が前記操作者の頭上に位置していることが検知されているときは、前記カメラによる撮影を許可し、前記頭上位置検知ステップにより前記通信端末が前記操作者の頭上に位置していることが検知されていないときには、前記カメラによる撮影を禁止する撮影制限ステップと、
前記周辺撮影モードにおいて前記カメラにより撮影された画像を、情報提供先の通信装置に送信する撮影画像送信ステップと
を含んでいることを特徴とする周辺画像の提供方法。
【請求項２】
前記通信端末は加速度センサを有し、
前記頭上位置検知ステップにおいて、前記カメラにより前記操作者の顔が撮影されている状態で、前記加速度センサにより鉛直上方向の加速度が検出されたときに、前記通信端末が前記操作者の頭上に位置していると認識することを特徴とする請求項１に記載の周辺画像の提供方法。
【請求項３】
前記通信端末は操作部と加速度センサとを有し、
前記頭上位置検知ステップにおいて、前記操作部が操作された後に、前記加速度センサにより鉛直上方向の加速度が検出されたときに、前記通信端末が前記操作者の頭上に位置していると認識することを特徴とする請求項１に記載の周辺画像の提供方法。
【請求項４】
背面にアウトカメラを有し、表面にインカメラと前記アウトカメラ及び前記インカメラのファインダーとを有する通信端末により、実行される周辺画像の提供方法であって、
前記インカメラ及び前記アウトカメラによる撮影モードを、周辺の撮影に対応した周辺撮影モードに設定する撮影モード設定ステップと、
前記通信端末の表面が前記通信端末の操作者と対向しているか否かを認識する表面対向認識ステップと、
前記周辺撮影モードにおいて、前記表面対向認識ステップにより前記通信端末の表面が前記操作者と対向していないと認識されているときは、前記インカメラによる撮影を許可し、前記表面対向認識ステップにより前記通信端末の表面が前記操作者と対向していると認識されているときには、前記アウトカメラによる撮影を禁止する撮影制限ステップと、
前記周辺撮影モードにおいて前記インカメラにより撮影された画像を、情報提供先の通信装置に送信する撮影画像送信ステップと
を含んでいることを特徴とする周辺画像の提供方法。
【請求項５】
前記通信端末はジャイロセンサを有し、
前記表面対向認識ステップにおいて、前記インカメラにより前記操作者の顔が撮影された状態から、前記ジャイロセンサにより前記通信端末が所定角度回転したことが検出されたときに、前記通信端末の表面が前記操作者と対向していないと認識することを特徴とする請求項４に記載の周辺画像の提供方法。
【請求項６】
前記通信端末は表面に操作部を有すると共に、ジャイロセンサを有し、
前記表面対向認識ステップにおいて、前記操作部が操作された状態から、前記ジャイロセンサにより前記通信端末が所定角度回転したことが検出されたときに、前記通信端末の表面が前記操作者と対向していないと認識することを特徴とする請求項４に記載の周辺画像の提供方法。
【請求項７】
前記表面対向認識ステップにおいて、前記インカメラにより前記操作者の顔が撮影されているときは、前記通信端末の表面が前記操作者と対向していると認識することを特徴とする請求項４から請求項６のうちいずれか１項に記載の周辺画像の提供方法。
【請求項８】
前記周辺撮影モードにおいて撮影された画像に対して、加工を禁止する第１撮影画像制限と、前記撮影画像送信ステップにより前記通信装置に送信した後に、前記通信端末の記憶部から削除する第２撮影画像制限とのうちの少なくともいずれか一方を行う撮影画像制限ステップを含んでいることを特徴とする請求項１から請求項７のうちいずれか１項に記載の周辺画像の提供方法。
【請求項９】
カメラと該カメラのファインダーとを有する通信端末のプロセッサを、
前記カメラによる撮影モードを、周辺の撮影に対応した周辺撮影モードに設定する撮影モード設定部と、
前記通信端末が前記通信端末の操作者の頭上に位置していることを検知する頭上位置検知部と、
前記周辺撮影モードにおいて、前記頭上位置検知部により前記通信端末が前記操作者の頭上に位置していることが検知されているときは、前記カメラによる撮影を許可し、前記頭上位置検知部により前記通信端末が前記操作者の頭上に位置していることが検知されていないときには、前記カメラによる撮影を禁止する撮影制限部と、
前記周辺撮影モードにおいて前記カメラにより撮影された画像を、情報提供先の通信装置に送信する撮影画像送信部と
して機能させることを特徴とする通信端末用プログラム。
【請求項１０】
前記通信端末は加速度センサを有し、
前記頭上位置検知部は、前記カメラにより前記操作者の顔が撮影されている状態で、前記加速度センサにより鉛直上方向の加速度が検出されたときに、前記通信端末が前記操作者の頭上に位置していると認識することを特徴とする請求項９に記載の通信端末用プログラム。
【請求項１１】
前記通信端末は操作部と加速度センサとを有し、
前記頭上位置検知部は、前記操作部が操作された後に、前記加速度センサにより鉛直上方向の加速度が検出されたときに、前記通信端末が前記操作者の頭上に位置していると認識することを特徴とすることを特徴とする請求項９に記載の通信端末用プログラム。
【請求項１２】
背面にアウトカメラを有し、表面にインカメラと前記アウトカメラ及び前記インカメラのファインダーとを有する通信端末のプロセッサを、
前記インカメラ及び前記アウトカメラによる撮影モードを、周辺の撮影に対応した周辺撮影モードに設定する撮影モード設定部と、
前記通信端末の表面が前記通信端末の操作者と対向しているか否かを認識する表面対向認識部と、
前記周辺撮影モードにおいて、前記表面対向認識部により前記通信端末の表面が前記操作者と対向していないことが認識されているときは、前記インカメラによる撮影を許可し、前記表面対向認識部により前記通信端末の表面が前記操作者と対向していることが認識されているときには、前記アウトカメラによる撮影を禁止する撮影制限部と、
前記周辺撮影モードにおいて前記インカメラにより撮影された画像を、情報提供先の通信装置に送信する撮影画像送信部と
して機能させることを特徴とする通信端末用プログラム。
【請求項１３】
前記通信端末はジャイロセンサを有し、
前記表面対向認識部は、前記インカメラにより前記操作者の顔が撮影された状態から、前記ジャイロセンサにより前記通信端末が所定角度回転したことが検出されたときに、前記通信端末の表面が前記操作者と対向していないと認識することを特徴とする請求項１２に記載の通信端末用プログラム。
【請求項１４】
前記通信端末は表面に操作部を有すると共に、ジャイロセンサを有し、
前記表面対向認識部は、前記操作部が操作された状態から、前記ジャイロセンサにより前記通信端末が所定角度回転したことが検出されたときに、前記通信端末の表面が前記操作者と対向していないと認識することを特徴とする請求項１２に記載の通信端末用プログラム。
【請求項１５】
前記表面対向認識部は、前記インカメラにより前記操作者の顔が撮影されているときに、前記通信端末の表面が前記操作者と対向していると認識することを特徴とする請求項１２から請求項１４のうちいずれか１項に記載の通信端末用プログラム。
【請求項１６】
前記プロセッサを、前記周辺撮影モードにおいて撮影された画像に対して、加工を禁止する第１撮影画像制限と、前記撮影画像送信部により前記通信装置に送信した後に、前記通信端末の記憶部から削除する第２撮影画像制限とのうちの少なくともいずれか一方を行う撮影画像制限部として機能させることを特徴とする請求項９から請求項１５のうちいずれか１項に記載の通信端末用プログラム。
【発明の詳細な説明】
【技術分野】
【０００１】
本発明は、周辺画像の提供方法、及び通信端末用プログラムに関する。
【背景技術】
【０００２】
従来、カメラ付き携帯電話による盗撮を防止するための方法が提案されている（例えば、特許文献１参照）。特許文献１には、カメラ付き携帯電話の撮像ボタンが操作されたときに、「撮影を行います。準備はよろしいでしょうか。」といった音声メッセージ、ブザーによる警告音、発光等の出力を行い、これらの出力時点から所定時間が経過したときに、撮影を実行する方法が記載されている。
【先行技術文献】
【特許文献】
【０００３】
【特許文献１】特開２００４−２４２０９６号公報
【発明の概要】
【発明が解決しようとする課題】
【０００４】
カメラ付きの通信端末による撮影形態として、街中の混雑度合い、災害時の被災状況、道路の交通状況等の現地の情報を収集するため、現地に所在する協力者に周辺状況の撮影と撮影画像の送信を依頼することが考えられる。この場合、依頼を受けた協力者は、通信端末に付属されたカメラにより周辺を撮影するが、その際に、周囲に人達の中には、カメラが自分に向けられていると感じて、不快感や不安感を抱く人もいる。
そして、上記特許文献１に記載された方法により、撮影開始時に報知を行ったとしても、カメラが自分に向けられていると感じる状況は変わらないため、周囲の人達が抱く不快感や不安感を解消することはできない。
本発明はかかる背景に鑑みてなされたものであり、周辺状況を撮影する際に、周囲の人達に不快感や不安感を与えることを抑制することができる周辺画像の提供方法、及び通信端末用プログラムを提供することを目的とする。
【課題を解決するための手段】
【０００５】
本発明の周辺画像の提供方法の第１の態様は、カメラと該カメラのファインダーとを有する通信端末により実行される周辺画像の提供方法であって、前記カメラによる撮影モードを、周辺の撮影に対応した周辺撮影モードに設定する撮影モード設定ステップと、前記通信端末が前記通信端末の操作者の頭上に位置していることを検知する頭上位置検知ステップと、前記周辺撮影モードにおいて、前記頭上位置検知ステップにより前記通信端末が前記操作者の頭上に位置していることが検知されているときは、前記カメラによる撮影を許可し、前記頭上位置検知ステップにより前記通信端末が前記操作者の頭上に位置していることが検知されていないときには、前記カメラによる撮影を禁止する撮影制限ステップと、前記周辺撮影モードにおいて前記カメラにより撮影された画像を、情報提供先の通信装置に送信する撮影画像送信ステップとを含んでいることを特徴とする。
【０００６】
また、前記通信端末は加速度センサを有し、前記頭上位置検知ステップにおいて、前記カメラにより前記操作者の顔が撮影されている状態で、前記加速度センサにより鉛直上方向の加速度が検出されたときに、前記通信端末が前記操作者の頭上に位置していると認識する構成としてもよい。
【０００７】
また、前記通信端末は操作部と加速度センサとを有し、前記頭上位置検知ステップにおいて、前記操作部が操作された後に、前記加速度センサにより鉛直上方向の加速度が検出されたときに、前記通信端末が前記操作者の頭上に位置していると認識する構成としてもよい。
【０００８】
次に、本発明の周辺画像の提供方法の第２の態様は、背面にアウトカメラを有し、表面にインカメラと前記アウトカメラ及び前記インカメラのファインダーとを有する通信端末により、実行される周辺画像の提供方法であって、前記インカメラ及び前記アウトカメラによる撮影モードを、周辺の撮影に対応した周辺撮影モードに設定する撮影モード設定ステップと、前記通信端末の表面が前記通信端末の操作者と対向しているか否かを認識する表面対向認識ステップと、前記周辺撮影モードにおいて、前記表面対向認識ステップにより前記通信端末の表面が前記操作者と対向していないと認識されているときは、前記インカメラによる撮影を許可し、前記表面対向認識ステップにより前記通信端末の表面が前記操作者と対向していると認識されているときには、前記アウトカメラによる撮影を禁止する撮影制限ステップと、前記周辺撮影モードにおいて前記インカメラにより撮影された画像を、情報提供先の通信装置に送信する撮影画像送信ステップとを含んでいることを特徴とする。
【０００９】
また、前記通信端末はジャイロセンサを有し、前記表面対向認識ステップにおいて、前記インカメラにより前記操作者の顔が撮影された状態から、前記ジャイロセンサにより前記通信端末が所定角度回転したことが検出されたときに、前記通信端末の表面が前記操作者と対向していないと認識する構成としてもよい。
【００１０】
また、前記通信端末は表面に操作部を有すると共に、ジャイロセンサを有し、前記表面対向認識ステップにおいて、前記操作部が操作された状態から、前記ジャイロセンサにより前記通信端末が所定角度回転したことが検出されたときに、前記通信端末の表面が前記操作者と対向していないと認識する構成としてもよい。
【００１１】
また、前記表面対向認識ステップにおいて、前記インカメラにより前記操作者の顔が撮影されているときは、前記通信端末の表面が前記操作者と対向していると認識する構成としてもよい。
【００１２】
また、前記周辺撮影モードにおいて撮影された画像に対して、加工を禁止する第１撮影画像制限と、前記撮影画像送信ステップにより前記通信装置に送信した後に、前記通信端末の記憶部から削除する第２撮影画像制限とのうちの少なくともいずれか一方を行う撮影画像制限ステップを含んでいる構成としてもよい。
【００１３】
次に、本発明の通信端末用プログラムの第１の態様は、カメラと該カメラのファインダーとを有する通信端末のプロセッサを、前記カメラによる撮影モードを、周辺の撮影に対応した周辺撮影モードに設定する撮影モード設定部と、前記通信端末が前記通信端末の操作者の頭上に位置していることを検知する頭上位置検知部と、前記周辺撮影モードにおいて、前記頭上位置検知部により前記通信端末が前記操作者の頭上に位置していることが検知されているときは、前記カメラによる撮影を許可し、前記頭上位置検知部により前記通信端末が前記操作者の頭上に位置していることが検知されていないときには、前記カメラによる撮影を禁止する撮影制限部と、前記周辺撮影モードにおいて前記カメラにより撮影された画像を、情報提供先の通信装置に送信する撮影画像送信部として機能させることを特徴とする。
【００１４】
また、前記通信端末は加速度センサを有し、前記頭上位置検知部は、前記カメラにより前記操作者の顔が撮影されている状態で、前記加速度センサにより鉛直上方向の加速度が検出されたときに、前記通信端末が前記操作者の頭上に位置していると認識する構成としてもよい。
【００１５】
また、前記通信端末は操作部と加速度センサとを有し、前記頭上位置検知部は、前記操作部が操作された後に、前記加速度センサにより鉛直上方向の加速度が検出されたときに、前記通信端末が前記操作者の頭上に位置していると認識する構成としてもよい。
【００１６】
次に、本発明の通信端末用プログラムの第２の態様は、背面にアウトカメラを有し、表面にインカメラと前記アウトカメラ及び前記インカメラのファインダーとを有する通信端末のプロセッサを、前記インカメラ及び前記アウトカメラによる撮影モードを、周辺の撮影に対応した周辺撮影モードに設定する撮影モード設定部と、前記通信端末の表面が前記通信端末の操作者と対向しているか否かを認識する表面対向認識部と、前記周辺撮影モードにおいて、前記表面対向認識部により前記通信端末の表面が前記操作者と対向していないことが認識されているときは、前記インカメラによる撮影を許可し、前記表面対向認識部により前記通信端末の表面が前記操作者と対向していることが認識されているときには、前記アウトカメラによる撮影を禁止する撮影制限部と、前記周辺撮影モードにおいて前記インカメラにより撮影された画像を、情報提供先の通信装置に送信する撮影画像送信部として機能させることを特徴とする。
【００１７】
また、前記通信端末はジャイロセンサを有し、前記表面対向認識部は、前記インカメラにより前記操作者の顔が撮影された状態から、前記ジャイロセンサにより前記通信端末が所定角度回転したことが検出されたときに、前記通信端末の表面が前記操作者と対向していないと認識する構成としてもよい。
【００１８】
また、前記通信端末は表面に操作部を有すると共に、ジャイロセンサを有し、前記表面対向認識部は、前記操作部が操作された状態から、前記ジャイロセンサにより前記通信端末が所定角度回転したことが検出されたときに、前記通信端末の表面が前記操作者と対向していないと認識する構成としてもよい。
【００１９】
また、前記表面対向認識部は、前記インカメラにより前記操作者の顔が撮影されているときに、前記通信端末の表面が前記操作者と対向していると認識する構成としてもよい。
【００２０】
また、前記プロセッサを、前記周辺撮影モードにおいて撮影された画像に対して、加工を禁止する第１撮影画像制限と、前記撮影画像送信部により前記通信装置に送信した後に、前記通信端末の記憶部から削除する第２撮影画像制限とのうちの少なくともいずれか一方を行う撮影画像制限部として機能させる構成としてもよい。
【発明の効果】
【００２１】
本発明の周辺画像の提供方法及び通信端末用プログラムによれば、通信端末が操作者の頭上に位置していることが認識されている場合に限定して、カメラによる撮影が許可される。或いは、ファインダーとインカメラを有する通信端末の表面が操作者と対向していないことが認識されている場合に限定して、インカメラによる撮影が許可され、通信端末の表面が操作者と対向していないことが認識されていない場合には、通信端末の背面に設けられたアウトカメラによる撮影が禁止される。
これにより、通信端末による周辺の撮影が、操作者がファインダーを見ることができない状態に限定して行われるため、周囲の人達が、自分を対象として撮影されていると感じ難くなる。そのため、通信端末により周辺状況を撮影する際に、周囲の人達に不快感や不安感を与えることを抑制することができる。
【図面の簡単な説明】
【００２２】
【図１】特定地域内に所在する通信端末に周辺の撮影と撮影画像の送信を依頼する情報収集システムの説明図。
【図２】図１に示した通信端末の構成図。
【図３】加速度センサによる加速度の検出方向、及びジャイロセンサによる角速度の検出方向の説明図。
【図４】協力者データベースの説明図。
【図５】情報収集サーバからの撮影依頼に応じた通信端末の処理のフローチャート。
【図６】周辺撮影モードにおける周辺の撮影及び撮影画像の送信処理のフローチャート。
【発明を実施するための形態】
【００２３】
［１．情報収集システムによる地域状況の情報収集］
図１は、本実施形態の情報収集システム１により、地域Ａｒの状況を示す画像を収集する形態を示している。情報収集システム１は、情報収集サーバ１０と、地域Ａｒ内に所在して、通信ネットワーク３００及び基地局３１０を介して情報収集サーバ１０との間で相互に通信を行うカメラ付きの通信端末１００、監視ロボット２１０、監視カメラ２２０、及びドライブレコーダ２０１により構成されている。情報収集サーバ１０は、本発明の情報提供先の通信装置に相当する。
【００２４】
通信端末１００は、情報収集の協力者Ｐｃ（本発明の通信端末の操作者に相当する）が所持しているスマートフォン、携帯電話、タブレット端末等の携帯型の通信端末である。監視カメラ２２０は通信部２２１を有し、公共施設等に設置されて周囲を撮影する。監視ロボット２１０は自走型のロボットであり、カメラ２１１、スピーカ２１２、表示器２１３、通信部２１４、及びＧＰＳ（Global Positioning System）センサ２１５を有している。監視ロボット２１０は、公共施設内を周回して周辺を撮影する。
【００２５】
ドライブレコーダ２０１は通信機能を有し、車両２００に登載されて車両２００の周辺を撮影する。なお、車両２００にドライブレコーダ２０１の他にも周辺を撮影するカメラ２０４（車両２００の前方、後方、側方等を撮影する）が備えられている場合には、カメラによる撮影画像をＥＣＵ（Electronic Control Unit）２０３及び通信部２０２を介して、情報収集サーバ１０に送信してもよい。
【００２６】
情報収集サーバ１０は、図示しないＣＰＵ（Central Processing Unit、本発明のプロセッサに相当する）、メモリ、各種インターフェース回路等により構成されたコンピュータシステムである。情報収集サーバ１０は、メモリに保存された情報収集サーバ１０の制御用プログラムをＣＰＵにより実行することにより、地域Ａｒ内に所在する通信端末１００に、周辺の撮影と撮影画像の送信を依頼する機能等を果たす。
【００２７】
情報収集サーバ１０は、通信ネットワーク３００を介して、災害情報サーバ４００、ＳＮＳ（Social Networking Service）サーバ５００、及び公共機関サーバ６００と通信可能に接続されている。災害情報サーバ４００は、地震、水害、ゲリラ豪雨、竜巻、火山噴火等の災害の状況を示す災害情報Ｄｉｓｉを、情報収集サーバ１０に送信する。ＳＮＳサーバ５００は、ＳＮＳのメンバー間でやり取りされるメンバー間情報（観光スポットの混雑状況、被災地の被害状況等に関する情報）ＳＮＳｉを、情報収集サーバ１０に送信する。公共機関サーバ６００には、警察・消防機関、インフラ管理部門、地方自治体、運輸機関等が運用するサーバが含まれる。
【００２８】
情報収集サーバ１０は、災害情報サーバ４００から受信した災害情報Ｄｉｓｉ、及びＳＮＳサーバ５００から受信したメンバー間情報ＳＮＳｉに基づいて、災害が発生した地域を認識する。図１では、地域Ａｒが、災害が発生した地域である場合を示している。
【００２９】
情報収集サーバ１０のメモリには、協力者ＤＢ（データベース）２０、確認対象地域ＤＢ２１、及び監視カメラＤＢ２２のデータが保存されている。協力者ＤＢ２０には、情報収集サーバ１０に登録された協力者Ｐｃの情報が記録されている。情報収集サーバ１０への協力者Ｐｃの登録は、協力者Ｐｃによる協力申請手続きによって行われる。また、監視カメラＤＢ２２には、監視カメラ２２０の情報（設置位置、カメラ性能等）、及び監視ロボット２１０の情報（周回ルート、カメラ性能等）が記録されている。
【００３０】
図４に示したように、協力者ＤＢ２０には、各協力者Ｐｃに対して個別に発行された協力者ＩＤ２０ａ、協力者Ｐｃプロフィール２０ｂ、協力者Ｐｃが所持する通信端末１００の所在地点２０ｃ、通信端末１００に備えられたカメラの性能２０ｄ、これまでの協力者Ｐｃの協力実績２０ｅ、協力に対して付与されたポイント２０ｆ等の情報が記録されている。
【００３１】
協力者プロフィール２０ｂには、協力者Ｐｃの性別、年齢、体形、顔写真等が含まれている。所在地点２０ｃは、通信端末１００の現在の所在位置（緯度、経度、住所、建物内の位置等）を示している。所在地点２０ｃは、通信端末１００からＧＰＳセンサによる検出位置の情報が送信される場合は、ＧＰＳセンサによる検出位置となる。また、基地局３１０から送信されるカバー領域内の通信端末１００の識別情報を用いる場合には、基地局３１０の所在位置となる。所在地点２０ｃは、通信端末１００から送信される検出位置の情報、及び基地局３１０から送信されるカバー領域内の通信端末１００の識別情報によって随時更新される。
【００３２】
カメラ性能２０ｄには、通信端末１００に備えられたカメラの性能（解像度、焦点距離、レンズの明るさ等）が含まれている。協力実績２０ｅには、これまでに行われた通信端末１００からの周辺画像情報Ａｒｉの送信実績（協力回数、送信画像数、画像品質等）が含まれている。協力実績は協力者Ｐｃの要望により随時公開され、これにより協力者Ｐｃが情報収集に貢献したという達成感や満足感を抱いて、協力者Ｐｃにさらなる協力へのインセンティブが生じることが期待される。
【００３３】
付与ポイント２０ｆは、これまでの協力実績に応じて付与されたポイント数である。協力者Ｐｃは、付与ポイントを使用して種々のサービスを受けることができ、これによっても、協力者Ｐｃにさらなる協力へのインセンティブが生じることが期待される。
【００３４】
情報収集サーバ１０は、災害が発生した地域Ａｒを認識すると、協力者ＤＢ２０の所在地点２０ｃを参照して、地域Ａｒ内に所在する通信端末１００に、周辺の撮影と撮影画像の送信を依頼する周辺撮影依頼情報Ａｒｉ＿Ｒを送信する。周辺撮影情報情報Ａｒｉ＿Ｒを受信した通信端末１００を所持する協力者Ｐｃは、後述する撮影態様により、通信端末１００のカメラによって周辺を撮影し、撮影画像を含む周辺画像情報Ａｒｉを情報収集サーバ１０に送信する。
【００３５】
情報収集サーバ１０は、通信端末１００から送信された周辺画像情報Ａｒｉを順次受信して確認対象地域ＤＢ２１に記録し、確認対象地域ＤＢ２１に記録された画像等の情報を統合して、救援活動に活用可能な救援支援情報Ａｒｓｉを生成する。そして、情報収集サーバ１０は、救援支援情報Ａｒｓｉを公共機関サーバ６００に送信する。公共機関サーバ６００は、救援支援情報Ａｒｓｉを、救援活動や復旧活動の推進に活用する。
【００３６】
［２．通信端末の構成］
次に、図２〜図３を参照して、通信端末１００の構成について説明する。図２を参照して、通信端末１００はＣＰＵ１１０を有し、ＣＰＵ１１０は、データバス１０５を介して、メモリ１２０、タッチパネル１３０、マイク１４０、スピーカ１４１、ＧＰＳセンサ１４２、加速度センサ１４３、ジャイロセンサ１４８、画像処理部１４４、及び通信部１４７と接続されている。
【００３７】
タッチパネル１３０は、液晶パネル等のフラットタイプの表示器１３１と、表示器１３１の表面に配置されたタッチセンサ１３２（本発明の操作部に相当する）とにより構成されている。画像処理部１４４は、インカメラ１４５及びアウトカメラ１４６から出力される映像信号を取り込んで、撮影画像をメモリ１２０に保存する。
【００３８】
図２の引出図Ｒｅｆに示したように、通信端末１００の表面１００Ｓに、タッチパネル１３０、マイク１４０、スピーカ１４１、及びインカメラ１４５が配置されている。また、通信端末１００の背面１００Ｂには、アウトカメラ１４６が配置されている。インカメラ１４５及びアウトカメラ１４６による撮影時に、タッチパネル１３０はファインダーとして機能し、協力者Ｐｃはタッチパネル１３０に表示される撮影画像を確認して撮影対象を決定する。
【００３９】
図３を参照して、加速度センサ１４３は、通信端末１００の直交するｘ軸（横方向）、ｙ軸（縦方向）、及びｚ軸（厚さ方向）の加速度を検出する。また、ジャイロセンサ１４８は、ｘ軸回りのｇｘ、ｙ軸回りのｇｙ、及びｚ軸回りのｇｚの角速度を検出する。
【００４０】
ＣＰＵ１１０は、メモリ１２０に保存された情報提供アプリ（アプリケーションプログラム、本発明の通信端末用プログラムに相当する）１２１を実行することにより、撮影モード設定部１１１、頭上位置検知部１１２、表面対向認識部１１３、撮影制限部１１４、撮影画像送信部１１５、及び撮影画像制限部１１６として機能する。メモリ１２０には、情報提供アプリ１２１の他に、地図データ１２２、画像データ１２３、及び音データ１２４が保存されている。
【００４１】
ここで、撮影モード設定部１１１による処理は、本発明の周辺画像の提供方法における撮影モード設定ステップに相当し、頭上位置検知部１１２による処理は、本発明の周辺画像の提供方法における頭上位置検知ステップに相当する。また、表面対向認識部１１３による処理は、本発明の周辺画像の提供方法における表面対向認識ステップに相当し、撮影制限部１１４による処理は、本発明の周辺画像の提供方法における撮影制限ステップに相当する。さらに、撮影画像送信部１１５による処理は、本発明の周辺画像の提供方法における撮影画像送信ステップに相当し、撮影画像制限部１１６による処理は、本発明の周辺画像の提供方法における撮影画像制限ステップに相当する。
【００４２】
撮影モード設定部１１１は、インカメラ１４５及びアウトカメラ１４６による撮影モードを切り替える。撮影モード設定部１１１は、情報収集サーバ１０から周辺撮影依頼情報Ａｒｉ＿Ｒを受信し、協力者Ｐｃが周辺撮影の依頼を受諾したときに、撮影モードを周辺の撮影に対応した周辺撮影モードに設定する。
【００４３】
頭上位置検知部１１２は、通信端末１００が協力者Ｐｃの頭上に位置していることを、インカメラ１４５による撮影画像と加速度センサ１４３による通信端末１００の加速度の検出状況に基づいて検知する。すなわち、頭上位置検知部１１２は、インカメラ１４５により協力者Ｐｃの顔が撮影されている状態から、加速度センサ１４３により検出された加速度の積分値より、通信端末１００が上方向（鉛直上方向、図３のｚ軸正方向）に所定量変位したことが検出されたときに、通信端末１００が協力者Ｐｃの頭上に位置している状態になったと認識する。
【００４４】
表面対向認識部１１３は、インカメラ１４５による撮影画像と、ジャイロセンサ１４８による通信端末１００の角速度の検出状況に応じて、通信端末１００の表面１００Ｓが協力者Ｐｃと対向していない状態（協力者Ｐｃがタッチパネル１３０を見ることができない状態）であることを認識する。すなわち、表面対向認識部１１３は、インカメラ１４５により協力者Ｐｃの顔が撮影されている状態から、ジャイロセンサ１４８により検出されたｇｙ方向（ｙ軸回り）又はｇｘ方向（ｘ軸回り）の角速度の積分値より、通信端末１００が反転したと判断されたときに、通信端末１００の表面１００Ｓが協力者Ｐｃと対向していないと認識する。
【００４５】
ここで、表面対向認識部１１３は、ジャイロセンサ１４８により検出されたｇｙ方向又はｇｘ方向の角速度の積分値により、通信端末１００が所定角度（例えば、±１８０度±３０度の範囲内の角度）回転したと判断されたときに、通信端末１００が反転したと認識する。
【００４６】
撮影制限部１１４は、撮影モード設定部１１１により周辺撮影モードに設定されたときに、インカメラ１４５及びアウトカメラ１４６による撮影を以下のように制限する。
第１撮影制限…頭上位置検知部１１２により、通信端末１００が協力者Ｐｃの頭上に位置していることが検知されている場合に、インカメラ１４５及びアウトカメラ１４６による撮影を許可する。
第２撮影制限…表面対向認識部１１３により、通信端末１００の表面１００Ｓが協力者Ｐｃと対向していないことが認識されている場合に、インカメラ１４５による撮影を許可する。表面対向認識部１１３により、通信端末１００の表面１００Ｓが協力者Ｐｃと対向していないことが認識されていない場合には、アウトカメラ１４６による撮影を禁止する。
【００４７】
上記第１撮影制限により、協力者Ｐｃが不特定の周辺状況を撮影していることを、周囲の人達に認識させることができる。また、上記第２撮影制限により、協力者Ｐｃが、インカメラ１４５及びタッチパネル１３０を外側に向け、ファインダーとして機能するタッチパネル１３０を使用せずに不特定の周囲を撮影していることを、周囲の人達に認識させることができる。そのため、周囲の人達が、自分にカメラが向けられていると思って、不快感や不安感を抱くことを抑制することができる。
【００４８】
撮影画像送信部１１５は、周辺撮影モードにおいてインカメラ１４５又はアウトカメラ１４６により撮影された周辺の画像を含む周辺画像情報Ａｒｉを、情報収集サーバ１０に送信する。周辺画像情報Ａｒｉには、撮影画像の他に、撮影地点、撮影時刻等の情報が含まれる。
【００４９】
撮影画像制限部１１６は、周辺撮影モードにおいて、撮影画像についての以下の制限を行う。
第１撮影画像制限…撮影画像を加工せずに情報収集サーバ１０に送信する。
第２撮影画像制限…撮影画像を情報収集サーバ１０に送信した後、撮影画像をメモリ１２０（記憶部）から削除して通信端末１００に残さない。
【００５０】
第１撮影画像制限を課すことにより、誤った周辺状況の情報が、通信端末１００から情報収集サーバ１０に送信されることを防止することができる。また、第２撮影画像制限を課すことにより、通信端末１００により撮影された周辺状況の画像が、災害状況の情報収集という用途以外に使用されることを防止することができる。
【００５１】
［３．確認対象地域の画像の収集処理］
次に、図５及び図６に示したフローチャートに従って、周辺撮影モードにおける通信端末１００の処理について説明する。
【００５２】
撮影モード設定部１１１は、図５のステップＳ１で、情報収集サーバ１０から周辺撮影依頼情報Ａｒｉ＿Ｒを受信したときに、ステップＳ２に処理を進める。ステップＳ２で、撮影モード設定部１１１は、情報収集サーバ１０から周辺の撮影依頼があったことを示すと共に、協力者Ｐｃに依頼の受諾又は拒否の入力操作を促す報知画面をタッチパネル１３０に表示する。
【００５３】
続くステップＳ３で、撮影モード設定部１１１は、協力者Ｐｃにより撮影依頼の許諾操作があったか否かを判断する。そして、撮影モード設定部１１１は、撮影依頼の許諾操作があったときはステップＳ４に処理を進めて、インカメラ１４５及びアウトカメラ１４６による撮影モードを周辺モードに設定する。一方、撮影依頼の許諾操作がなかったとき（拒否操作があったとき）には、撮影モード設定部１１１はステップＳ１５に処理を進め、この場合は周辺の撮影は実行されない。
【００５４】
ステップＳ５で、撮影制限部１１４は、アウトカメラ１４６による撮影を禁止し、続くステップＳ６で、インカメラ１４５による協力者Ｐｃの顔の撮影を指示する画面をタッチパネル１３０に表示する。続くステップＳ７で、撮影制限部１１４は、インカメラ１４５により協力者Ｐｃの顔が撮影された位置を基準位置として設定する。
【００５５】
続くステップＳ８で、撮影制限部１１４は、上記第１撮影制限及び第２撮影制限に対応させて、通信端末１００を頭上に掲げること、又は通信端末１００の表面１００Ｓと背面１００Ｂを反転させることを指示する撮影準備画面を、タッチパネル１３０に表示する。続くステップＳ９〜Ｓ１１のループにより、撮影制限部１１４は、ステップＳ９で頭上位置検知部１１２により、通信端末１００が協力者Ｐｃの頭上に位置していることが検知されたか否かを判断する。また、ステップＳ１０で、撮影制限部１１４は、ステップＳ１０で、表面対向認識部１１３により、通信端末１００の表面１００Ｓが協力者Ｐｃと対向していない状態であることが検知されたか否かを判断する。さらに、ステップＳ１１で、撮影制限部１１４は、協力者Ｐｃにより周辺撮影の終了操作がなされたか否かを判断する。
【００５６】
そして、撮影制限部１１４は、ステップＳ９で、頭上位置検知部１１２により、通信端末１００が協力者Ｐｃの頭上に位置していることが検知されたときは、図６のステップＳ２０に進める。ステップＳ２０で、撮影制限部１１４は、周辺の撮影を開始することを、スピーカ１４１からの「周辺の撮影を開始します」等の音声出力により、協力者Ｐｃに報知する。
【００５７】
続くステップＳ２１で、撮影制限部１１４は、インカメラ１４５及びアウトカメラ１４６による周辺の撮影を開始する。次のステップＳ２２で、撮影制限部１１４は、加速度センサ１４３により検出される通信端末１００の加速度に基づいて、通信端末１００が協力者Ｐｃの頭上から下げられたか否かを判断する。そして、撮影制限部１１４は、通信端末１００が協力者Ｐｃの頭上から下げられたときにステップＳ２３に処理を進めて、周辺の撮影を終了する。なお、ステップＳ２２で、インカメラ１４５により協力者Ｐｃの顔が撮影された場合にも、ステップＳ２３に処理を進めて撮影を終了するようにしてもよい。
【００５８】
続くステップＳ２４で、撮影画像送信部１１５は、撮影画像を含む周辺画像情報Ａｒｉを情報収集サーバ１０に送信し、ステップＳ３５に処理を進める。ここで、撮影画像制限部１１６は、上記第１撮影画像制限により、撮影画像に対する加工を禁止する。
【００５９】
また、撮影制限部１１４は、図５のステップＳ１０で、表面対向認識部１１３により、通信端末１００の表面１００Ｓが協力者Ｐｃと対向していないことが認識されたときは、図６のステップＳ３０に処理を進める。ステップＳ３０で、撮影制限部１１４は、周辺の撮影を開始することを、ステップＳ２０と同様に報知する。
【００６０】
続くステップＳ３１で、撮影制限部１１４は、インカメラ１４５による周辺の撮影を開始する。次のステップＳ３２で、撮影制限部１１４は、ジャイロセンサ１４８により検出される通信端末１００の角速度に基づいて通信端末１００が反転したか否かを判断し、また、インカメラ１４５により協力者Ｐｃの顔が撮影されたか否かを判断する。
【００６１】
そして、撮影制限部１１４は、通信端末１００が反転したとき、又はインカメラ１４５により協力者Ｐｃの顔が撮影されたときに、ステップＳ３３に処理を進めて、周辺の撮影を終了する。続くステップＳ３４で、撮影画像送信部１１５は、撮影画像を含む周辺画像情報Ａｒｉを情報収集サーバ１０に送信し、ステップＳ３５に処理を進める。なお、ステップＳ３２で、インカメラ１４５により協力者Ｐｃの顔が撮影された場合にも、ステップＳ３３に処理を進めて撮影を終了するようにしてもよい。
【００６２】
ステップＳ３５で、撮影画像制限部１１６は、上記第２撮影画像制限により、メモリ１２０に保存されていた撮影画像を消去して、図５のステップＳ１２に処理を進める。ステップＳ１２で、撮影モード設定部１１１は、周辺撮影モードを解除して図５のフローチャートによる処理を終了する。
【００６３】
［４．他の実施形態］
上記実施形態では、地域Ａｒで災害が発生した場合に、災害による被害状況の情報を得るために協力者Ｐｃに周辺の撮影を依頼したが、他の目的のために周辺の撮影を依頼してもよい。例えば、地域Ａｒが観光地である場合には、地域Ａｒの混雑度合を認識するために、周辺の撮影を依頼してもよい。
【００６４】
また、地域Ａｒが繁華街等の場合には、地域Ａｒの治安状態を認識する目的で、周辺の撮影を依頼してもよい。
【００６５】
上記実施形態では、撮影制限部１１４は、第１撮影制限と第２撮影制限とを行ったが、第１撮影制限と第２撮影制限のいずれか一方のみを行うようにしてもよい。
【００６６】
上記実施形態では、撮影画像制限部１１６を備えて、第１撮影画像制限と第２撮影制限とを行ったが、第１撮影画像制限と第２撮影画像制限とのうちのいずれか一方のみを行うようにしてもよい。或いは、撮影画像制限部１１６を省略した構成としてもよい。
【００６７】
なお、図２は、本願発明の理解を容易にするために、通信端末１００の機能構成を、主な処理内容により区分して示した概略図であり、通信端末１００の構成を、他の区分によって構成してもよい。また、各構成要素の処理は、１つのハードウェアユニットにより実行されてもよいし、複数のハードウェアユニットにより実行されてもよい。また、図５及び図６に示した各構成要素の処理は、１つのプログラムにより実行されてもよいし、複数のプログラムにより実行されてもよい。
【符号の説明】
【００６８】
１…情報収集システム、１０…情報収集サーバ、２０…協力者ＤＢ、２１…確認対象地域ＤＢ、２２…監視カメラＤＢ、１００…通信端末、１００Ｓ…通信端末の表面、１００Ｂ…通信端末の背面、１１０…ＣＰＵ、１１１…撮影モード設定部、１１２…頭上位置検知部、１１３…表面対向認識部、１１４…撮影制限部、１１５…撮影画像送信部、１１６…撮影画像制限部、１２０…メモリ、１２１…情報提供アプリ、１３０…タッチパネル、１４３…加速度センサ、１４５…インカメラ、１４６…アウトカメラ、１４８…ジャイロセンサ、３００…通信ネットワーク、３１０…基地局、Ｐｃ…協力者。
【図１】
2020010158.tif 000003
【図２】
2020010158.tif 000004
【図３】
2020010158.tif 000005
【図４】
2020010158.tif 000006
【図５】
2020010158.tif 000007
【図６】
2020010158.tif 000008